(57)【要約】      （修正有）【課題】日没後に迅速に発見できる非常用の進入口表示を提供する。【解決手段】建築基準法第１２６条の７に基づく昭和４５年建設省告示第１８３１号第２に定められた非常用進入口表示１であり、表面が赤色反射塗料によって一辺２０ｃｍの正三角形に着色されたベース３およびベースに一体化された点灯装置からなる。点灯装置は、太陽電池２１と、太陽電池が発電した電気を蓄える蓄電部２２と、周囲の明るさを検知する照度センサ２３と、ベースにおける着色された面に配され蓄電部に蓄えられた電気により発光する発光装置２５と、を備えて、周囲の明るさが減少したことを照度センサが検知して発光装置を発光させるように構成されている。【選択図】図１
0003158305.tif 000002
【実用新案登録請求の範囲】
【請求項１】
建築基準法第１２６条の７に基づく昭和４５年建設省告示第１８３１号第２に定められた非常用進入口表示であって、
表面が赤色反射塗料によって一辺２０ｃｍの正三角形に着色されたベースおよび前記ベースに一体化された点灯装置からなり、
前記点灯装置は、
太陽電池と、
前記太陽電池が発電した電気を蓄える蓄電部と、
周囲の明るさを検知する照度センサと、
前記ベースにおける着色された面に配され前記蓄電部に蓄えられた電気により発光する発光装置と、を備えて、
周囲の明るさが減少したことを前記照度センサが検知して前記発光装置を発光させるように構成された
ことを特徴とする非常用進入口表示。
【請求項２】
前記発光装置は、発光ダイオード（ＬＥＤ）である
請求項１に記載の非常用進入口表示。
【請求項３】
前記蓄電部は、電気２重層コンデンサである
請求項１または請求項２に記載の非常用進入口表示。
【考案の詳細な説明】
【技術分野】
【０００１】
本考案は、建築基準法第１２６条の７に基づく昭和４５年建設省告示第１８３１号第２に定められた非常用進入口表示に関する。
【背景技術】
【０００２】
建築基準法第五節非常口の進入口の第１２６条の７（構造）に基づき、昭和４５年建設省告示第１８３１号（以下「Ｓ４５建告１８３１」という）の第２条には、所定の建築物に設けられた非常用の進入口に、赤色反射塗料による一辺が２０ｃｍの正三角形の非常用の進入口である旨の表示を行うことが定められている。
この表示がなされる非常用の進入口は、建築物の内部に火災が発生したときに外部からこの進入口を通じて内部に放水し、または内部に進入して救助活動を行うためのものである。
【０００３】
ところで、Ｓ４５建告１８３１の第１条には、非常用の進入口またはその近くに、自動充電装置または時限充電装置等で点灯する赤色燈による標識を掲示することも求めており、特許文献１にはそのような非常進入口表示灯が開示されている。
【先行技術文献】
【特許文献】
【０００４】
【特許文献１】実全昭５５−１２４０８３号公報
【考案の概要】
【考案が解決しようとする課題】
【０００５】
自動充電装置または時限充電装置等で点灯する赤色燈による標識は、人の出入りが想定された進入口に設置される場合が多い。特許文献１に開示された非常進入口表示灯も、このような進入口に設置されるものであり、常に点灯する白熱灯、および非常時に点滅を繰り返すキセノンランプにより構成される。そして、白熱灯およびキセノンランプはいずれも商用電源に接続される。
【０００６】
一方、正三角形の非常用の進入口表示は、消火活動等において破壊されて進入口となる場所、例えば建築物の窓に貼り付けられる場合が多い。しかし、このような赤色反射塗料による正三角形の進入口表示は、それ自体で発光機能がなく、日没後に火災等が生じた場合、反射塗料を頼りに建築物外からの投光によってその場所を探す必要があり、非常用の進入口の発見に手間取るおそれがある。
【０００７】
本考案は、上述の問題に鑑みてなされたもので、日没後に迅速に発見できる非常用の進入口表示を提供することを目的とする。
【課題を解決するための手段】
【０００８】
本考案に係る非常用進入口表示は、建築基準法第１２６条の７に基づく昭和４５年建設省告示第１８３１号第２に定められた非常用進入口表示であって、表面が赤色反射塗料によって一辺２０ｃｍの正三角形に着色されたベースおよび前記ベースに一体化された点灯装置からなり、前記点灯装置は、太陽電池と、前記太陽電池が発電した電気を蓄える蓄電部と、周囲の明るさを検知する照度センサと、前記ベースにおける着色された面に配され前記蓄電部に蓄えられた電気により発光する発光装置と、を備えて、周囲の明るさが減少したことを前記照度センサが検知して前記発光装置を発光させるように構成される。
【０００９】
前記発光装置は、発光ダイオード（ＬＥＤ）である。
前記蓄電部は、電気２重層コンデンサである。
【考案の効果】
【００１０】
本考案によると、日没後に迅速に発見できる非常用の進入口表示を提供することができる。
【図面の簡単な説明】
【００１１】
【図１】図１は非常用進入口表示の正面図である。
【図２】図２は非常用進入口表示の右側面図である。
【図３】図３は点灯装置の構成を示す図である。
【図４】図４は他の非常用進入口表示の正面図である。
【図５】図５は他の非常用進入口表示の右側面図である。
【考案を実施するための形態】
【００１２】
図１は非常用の進入口表示１（以下「非常用進入口表示１」という）の正面図、図２は非常用進入口表示１の右側面図、図３は点灯装置２の構成を示す図である。
非常用進入口表示１は、ベース３および点灯装置２からなる。
ベース３は、Ｓ４５建告１８３１第２条の規定に合わせて一辺が２０ｃｍの正三角形に切り取られたアクリル板で形成される。ベース３の一方の表面は赤色反射塗料で着色されている。ベース３の他方の表面には、点灯装置２の制御部２４および蓄電部２２を収容する矩形の制御部取付孔１１、正三角形の各頂角近くから制御部取付孔１１にそれぞれ延びた３つの配線溝１２ａ，１２ｂ，１２ｃが設けられている。各配線溝１２ａ，１２ｂ，１２ｃの正三角形の各頂角近傍には、赤色反射塗料で着色された表面に開口するＬＥＤ取付孔が設けられている。制御部取付孔１１は、正三角形の１つの辺近くに設けられ、この辺を形成する側面１３からセンサ取付部１４が突出している。センサ取付部１４には、赤色反射塗料で着色された表面の側に開口するセンサ取付孔１５が設けられ、センサ取付孔１５と制御部取付孔１１とをセンサ配線溝１６が結んでいる。
【００１３】
点灯装置２は、図３を参照して、太陽電池２１、蓄電部２２、ＣＤＳセンサ２３、制御部２４、赤色ＬＥＤ２５（２５ａ，２５ｂ，２５ｃ）からなる。
太陽電池２１は、アモルファスシリコン太陽電池である。太陽電池２１は、正面視において一辺が９ｃｍの正三角形である。太陽電池２１として、シリコン結晶系太陽電池を使用することもできる。太陽電池２１は、ベース３における赤色反射塗料で着色された表面に、それぞれの辺がベース３の辺に平行に配されてベース３に固定されている。太陽電池２１は、逆流防止用のダイオードを介して蓄電部２２に接続されている。
【００１４】
蓄電部２２は、太陽電池２１により発電された電気を蓄電するためのものである。蓄電部２２は、電気２重層コンデンサ（キャパシタ）が使用される。蓄電部２２は、制御部２４に接続されている。蓄電部２２は、制御部２４とともに制御部取付孔１１に収容されてベース３に固定される。
ＣＤＳセンサ２３は、赤色反射塗料で着色された表面側の環境の照度を検知するためのものである。ＣＤＳセンサ２３は、検出部が露出する状態でセンサ取付孔１５に嵌め込まれて、センサ取付部１４に固定される。ＣＤＳセンサ２３は、制御部２４に電気的に接続されている。
【００１５】
制御部２４は、ＣＤＳセンサ２３が検知した照度が所定のレベル以下（抵抗値がある値以上）となったとき、蓄電部２２の電気を赤色ＬＥＤ２５（２５ａ，２５ｂ，２５ｃ）に供給する働きを行う。つまり、制御部２４は、定電流ダイオードを介して蓄電部２２に接続された赤色ＬＥＤ２５（２５ａ，２５ｂ，２５ｃ）の回路のオンオフを行う。制御部２４は、前述したように、蓄電部２２とともに制御部取付孔１１に収容されてベース３に固定されている。
【００１６】
赤色ＬＥＤ２５は、３つ（２５ａ，２５ｂ，２５ｃ）が発光部分を赤色反射塗料で着色された表面から露出させて、ベース３のＬＥＤ取付孔に固定されている。赤色ＬＥＤ２５には防水型のものが使用される。
ＣＤＳセンサ２３と制御部２４とを結ぶ配線、および制御部２４と赤色ＬＥＤ２５ａ，２５ｂ，２５ｃとを結ぶ配線は、それぞれセンサ配線溝１６および配線溝１２ａ，１２ｂ，１２ｃの中に収められる。
【００１７】
非常用進入口表示１の制御部取付孔１１、配線溝１２ａ，１２ｂ，１２ｃ、センサ取付部１４およびセンサ配線溝１６等は、雨水の浸入を防止するための防水がなされている。
非常用進入口表示１は、図２を参照して例えば窓ガラスＷＧの室外側表面に、両面テープ等で貼り付けられる。
非常用進入口表示１は、昼間に太陽電池２１が発電した電気を蓄電部２２に蓄電し、日が暮れてまたは厚い雲によって暗くなりＣＤＳセンサ２３が照度不足を検知したときに、蓄電部２２に蓄電された電気によって赤色ＬＥＤ２５ａ，２５ｂ，２５ｃを点灯させる。非常用進入口表示１は、ベース３の表面には赤色反射塗料が塗布されているので、赤色ＬＥＤ２５ａ，２５ｂ，２５ｃの光の一部が赤色反射塗料により反射されて、夜間でもライト等で投光することなくその位置を特定することができる。
【００１８】
ＣＤＳセンサ２３が照度不足を検知する間、赤色ＬＥＤ２５ａ，２５ｂ，２５ｃを常時点灯させるのではなく、赤色ＬＥＤ２５ａ，２５ｂ，２５ｃを点滅させるように制御部２４を設計してもよい。
なお、ベース３の表面が赤色反射塗料により着色されていることから、赤色ＬＥＤ２５ａ，２５ｂ，２５ｃにかえて白色ＬＥＤを使用することができる。
【００１９】
図４は他の非常用進入口表示１Ｂの正面図、図５は他の非常用進入口表示１Ｂの側面図である。
非常用進入口表示１Ｂは、ベース３Ｂおよび点灯装置２Ｂからなる。
ベース３Ｂは、一辺が２０ｃｍの正三角形と一辺が２０ｃｍの長方形とが組み合わされた形状であり、肉厚のアクリル板で形成される。ベース３Ｂの正三角形の部分における一方の表面は赤色反射塗料で着色されている。ベース３の他方の表面には、点灯装置２の制御部２４および蓄電部２２を収容する矩形の制御部取付孔１１Ｂが設けられている。
【００２０】
制御部取付孔１１は、正三角形の部分における１つの辺近くに、この１つの辺と後に説明する２つの頂角の間のＬＥＤ取付孔をこの１つの辺との間に挟んで設けられている。この１つの辺とは、ベース３Ｂの形状において一辺が２０ｃｍの長方形と組み合わされた辺である。この１つの辺と頂角を形成する他の１つの辺を形成する側面１３Ｂからセンサ取付部１４が突出している。センサ取付部１４には、赤色反射塗料で着色された表面の側に開口するセンサ取付孔１５が設けられている。センサ取付孔１５は、センサ配線溝１６により間接的に制御部取付孔１１Ｂと繋がっている。
【００２１】
ベース３Ｂにおける正三角形の各頂角近傍、それぞれの２つの頂角の中間近傍、および正三角形の中心には、赤色反射塗料で着色された表面に開口するＬＥＤ取付孔が設けられている。ＬＥＤ取付孔が開口する表面とは反対側の表面には、各ＬＥＤ取付孔を制御部２４に直接または間接に結ぶ配線溝１２Ｂａ，…，１２Ｂｇが設けられている。
点灯装置２Ｂは、太陽電池２１Ｂ、蓄電部２２、ＣＤＳセンサ２３、制御部２４、７つの赤色ＬＥＤ２５ａ，…，２５ｇからなる。これらのものは、太陽電池２１Ｂの形状を除き、非常用進入口表示１の点灯装置２におけるものと同一であるので、その構成の説明を省略する。
【００２２】
太陽電池２１Ｂは、一辺が２０ｃｍの長方形であり、ベース３Ｂにおける長方形の部分１７Ｂに重ねて固定されている。太陽電池２１Ｂは逆流防止用のダイオードを介して蓄電部２２に電気的に接続され、蓄電部２２は制御部２４に電気的に接続されている。
蓄電部２２および制御部２４は、制御部取付孔１１Ｂ内に固定されている。
ＣＤＳセンサ２３はセンサ取付部１４のセンサ取付孔１５内に固定され、７つの赤色ＬＥＤ２５ａ，…，２５ｇは、それぞれ異なるＬＥＤ取付孔に固定されている。そして、ＣＤＳセンサ２３は制御部２４に接続され、赤色ＬＥＤ２５ａ，…，２５ｇは、配線溝１２Ｂａ，…，１２Ｂｇに収められた配線により、制御部２４および定電流ダイオードを介して蓄電部２２に接続されている。
【００２３】
非常用進入口表示１は、非常用進入口表示１Ｂと同様に、昼間に太陽電池２１が発電した電気を蓄電部２２に蓄電し、屋外が暗くなりＣＤＳセンサ２３が照度不足を検知したときに、蓄電部２２に蓄電された電気によって赤色ＬＥＤ２５ａ，…，２５ｇを点灯させる。
なお、赤色ＬＥＤ２５ａ，…，２５ｇを常時点灯させるのではなく、点滅させるようにすることもできる。
【００２４】
上述の実施形態において、点灯装置２，２Ｂにおける各構成を同様の機能を有する他のものに置き換えることができる。
その他、非常用進入口表示１，１Ｂ、および非常用進入口表示１，１Ｂの各構成または全体の構造、形状、寸法、個数、材質などは、本考案の趣旨に沿って適宜変更することができる。
【産業上の利用可能性】
【００２５】
本考案は、建築基準法第１２６条の７に基づく昭和４５年建設省告示第１８３１号第２に定められた非常用進入口表示に利用することができる。
【符号の説明】
【００２６】
１，１Ｂ  非常用進入口表示
２，２Ｂ  点灯装置
３，３Ｂ  ベース
２１，２１Ｂ  太陽電池
２２  蓄電部（電気２重層コンデンサ）
２３  ＣＤＳセンサ（照度センサ）
２５  赤色ＬＥＤ（発光装置、発光ダイオード）
２５ａ，…，２５ｇ  赤色ＬＥＤ（発光装置、発光ダイオード）
【図１】
0003158305.tif 000003
【図２】
0003158305.tif 000004
【図３】
0003158305.tif 000005
【図４】
0003158305.tif 000006
【図５】
0003158305.tif 000007